(57)【特許請求の範囲】
【請求項１】
物を収納するための収納バッグと、使用者の背中に当たる背当クッションと、使用者が背負うための肩ベルトとを備えており、
前記肩ベルトに沿って使用者の首回りに設けられた第１の浮き袋と、前記背当クッションの外周に沿って設けられた第２の浮き袋とを備えるとともに、
前記第１の浮き袋は、
前記肩ベルトに沿った部分と、該肩ベルトに沿った部分よりも広い幅を有し前記使用者の頭部を頭頂部まで覆うフード部を備えたことを特徴とする救命バッグ。
【請求項２】
前記第１の浮き袋は、前記肩ベルト内に収納されており、前記第２の浮き袋は、前記背当クッション内に収納されていることを特徴とする請求項１記載の救命バッグ。
【請求項３】
使用者の腕を覆う腕プロテクタ，使用者の胴を覆う胴プロテクタ，使用者の足を覆う足プロテクタ，あるいは、使用者の全身を覆うプロテクタ服を備えたことを特徴とする請求項１又は２記載の救命バッグ。
【請求項４】
前記腕プロテクタ，胴プロテクタ，足プロテクタ，あるいは、前記プロテクタ服は、前記背当クッション内に収納されていることを特徴とする請求項３記載の救命バッグ。
【請求項５】
前記収納バッグ内に収納されており、該収納バッグ内から引き出されて、対応する部位を接合して構成される寝袋を備えたことを特徴とする請求項１〜４のいずれか一項に記載の救命バッグ。
【請求項６】
前記寝袋は、前記収納バッグの左右の側面からそれぞれ引き出された寝袋シートを接合して構成され、寝袋の使用時において、前記収納バッグが使用者の頭部下に位置することを特徴とする請求項５記載の救命バッグ。
【請求項７】
前記収納バッグの背面に、該収納バッグに対してロープで接続されたフロートを設けたことを特徴とする請求項１〜６のいずれか一項に記載の救命バッグ。
【請求項８】
物を収納するための複数の収納部が使用者の背中に対して積層されたバッグ本体と、該バッグ本体を使用者が背負うための装着部と、前記バッグ本体の底面側に設けられており前記使用者の足を通して固定するストッパーとを備えており、
前記複数の収納部に、少なくとも、救命服，ビート板，寝袋が、取り出し可能に収納され、
最も外側の収納部の背面側に、前記バッグ本体に対してロープで接続されたフロートを設けるとともに、
前記ストッパーが、
前記バッグ本体の底面側に設けられた複数のバンドの先端をまとめて結合し、前記バンドの間に使用者の足を通す部分が形成されていることを特徴とする救命バッグ。
【請求項９】
前記複数の収納部の側面を、前記外側の収納部の背面側から、使用者の背中側に掛けて固定する固定手段を設けたことを特徴とする請求項８記載の救命バッグ。
【請求項１０】
前記寝袋は、前記収納部に収納した状態において浮力材となることを特徴とする請求項８又は９記載の救命バッグ。
【請求項１１】
前記救命服には、前記使用者の個人情報を記録したＩＣチップと、無線通信のためのアンテナを備えたカードタグが設けられていることを特徴とする請求項８〜１０のいずれか一項に記載の救命バッグ。
【請求項１２】
請求項１１記載の救命バッグと、
該救命バッグの救命服に設けられたカードタグと無線通信するためのアンテナと、前記カードタグの個人情報を読取・書込可能な制御部とを有するリーダ・ライタと、
を含み、
前記リーダ・ライタの制御部は、前記カードタグから読み取った情報に応じて、所定の連絡先ないし通報先に通知を行うことを特徴とする救命システム。
【請求項１３】
前記救命服のカードタグに、位置情報を取得する位置情報取得手段が設けられるとともに、
前記リーダ・ライタの制御部は、前記使用者の位置情報を前記カードタグから取得して、前記所定の連絡先ないし通報先に、前記個人情報とともに通知することを特徴とする請求項１２記載の救命システム。
【発明の詳細な説明】
【技術分野】
【０００１】
本発明は、救命胴衣・ライフジャケットなどにリュックサック・デイバッグなどの機能を付加した救命バッグと、それを利用した救命システムに関する。
【背景技術】
【０００２】
救命胴衣等とバッグを一体化したものとしては、例えば、下記特許文献１記載の「緊急持出用具」がある。これは、収納バッグと救命胴衣とを、同時に携帯できるように一体化したもので、救命胴衣の背面部の外側表面に収納バッグの一側面が縫い合わされており、前面保護部は着用した使用者の前面側を覆った状態でベルト固定具によって固定され、救命胴衣を使用しないときは前面保護部が収納バッグの周囲を覆うようにして反対側の面でベルト固定具によって固定されている。【０００３】
下記特許文献２記載の「ライフジャケット兼用リュックサック」は、旅行などで普段携帯しているリュックサックを、水難事故に対する安全具のライフジャケット（救命胴衣）に応用すると同時に、常に身の回りに保持できることを目的としたもので、リュックサックの背面及び肩ベルトに通常装備されているクッション材を浮力として利用し、連結ベルトによって一連につなげた背面のクッション・肩ベルト・背面バック等の浮力体を人体に装着することにより、ライフジャケットとして利用したものである。
【先行技術文献】
【特許文献】
【０００４】
【特許文献１】特開２０１１−２５１０１７号公報
【特許文献２】特開２００４−４１３９２号公報
【発明の概要】
【発明が解決しようとする課題】
【０００５】
しかしながら、前記特許文献に記載の技術は、いずれも通常の水難事故を前提としており、地震・津波などの災害時を想定していない。それらの災害時には、避難するとしても、避難先に十分な設備等があるとは限らない。また、津波に巻き込まれる可能性もある。更に、緊急に医療機関にかかる場合に身元を証明することが困難であったり、災害が去った後に、被災者から家族への連絡や被災者の探索が困難であったりするという状況については、何ら方策が講じられていない。また、爆発による火災や津波の場合、衣服がもぎ取られることがあるため、火や水に対して強く、災害時に体を保護したり、災害後に体を休めたりできることが望ましい。【０００６】
本発明は、以上のような点に着目したもので、津波等に巻き込まれても良好に浮力を確保するとともに、避難にも好都合であって、災害時・災害後の身体の保護にも適した救命バッグを提供することを、その目的とする。他の目的は、前記救命バッグの使用者の個人情報の管理や探索等も可能な救命システムを提供することである。
【課題を解決するための手段】
【０００７】
本発明の救命バッグは、物を収納するための収納バッグと、使用者の背中に当たる背当クッションと、使用者が背負うための肩ベルトとを備えており、前記肩ベルトに沿って使用者の首回りに設けられた第１の浮き袋と、前記背当クッションの外周に沿って設けられた第２の浮き袋とを備えるとともに、前記第１の浮き袋は、前記肩ベルトに沿った部分と、該肩ベルトに沿った部分よりも広い幅を有し前記使用者の頭部を頭頂部まで覆うフード部を備えたことを特徴とする。
【０００８】
主要な形態の一つは、前記第１の浮き袋が前記肩ベルト内に収納されており、前記第２の浮き袋が前記背当クッション内に収納されていることを特徴とする。
【０００９】
他の形態としては、使用者の腕を覆う腕プロテクタ，使用者の胴を覆う胴プロテクタ，使用者の足を覆う足プロテクタ，あるいは、使用者の全身を覆うプロテクタ服を備えたことを特徴とする。その態様の一つは、前記腕プロテクタ，胴プロテクタ，足プロテクタ，あるいは、前記プロテクタ服が前記背当クッション内に収納されていることを特徴とする。【００１０】
更に別の形態の一つは、前記収納バッグ内に収納されており、該収納バッグ内から引き出されて対応する部位を接合して構成される寝袋を備えたことを特徴とする。また、前記寝袋は、前記収納バッグの左右の側面からそれぞれ引き出された寝袋シートを接合して構成され、寝袋の使用時において、前記収納バッグが使用者の頭部下に位置することを特徴とする。更に、前記収納バッグの背面に、該収納バッグに対してロープで接続されたフロートを設けたことを特徴とする。
【００１１】
他の発明の救命バッグは、物を収納するための複数の収納部が使用者の背中に対して積層されたバッグ本体と、該バッグ本体を使用者が背負うための装着部と、前記バッグ本体の底面側に設けられており前記使用者の足を通して固定するストッパーとを備えており、前記複数の収納部に、少なくとも、救命服，ビート板，寝袋が、取り出し可能に収納され、最も外側の収納部の背面側に、前記バッグ本体に対してロープで接続されたフロートを設けるとともに、前記ストッパーが、前記バッグ本体の底面側に設けられた複数のバンドの先端をまとめて結合し、前記バンドの間に使用者の足を通す部分が形成されていることを特徴とする。
【００１２】
主要な形態の一つは、前記複数の収納部の側面を、前記外側の収納部の背面側から、使用者の背中側に掛けて固定する固定手段を設けたことを特徴とする。他の形態は、前記寝袋は、前記収納部に収納した状態において浮力材となることを特徴とする。更に他の形態は、前記救命服には、前記使用者の個人情報を記録したＩＣチップと、無線通信のためのアンテナを備えたカードタグが設けられていることを特徴とする。【００１３】
本発明の救命システムは、請求項１１記載の救命バッグと、該救命バッグの救命服に設けられたカードタグと無線通信するためのアンテナと、前記カードタグの個人情報を読取・書込可能な制御部とを有するリーダ・ライタと、を含み、前記リーダ・ライタの制御部は、前記カードタグから読み取った情報に応じて、所定の連絡先ないし通報先に通知を行うことを特徴とする。主要な形態の一つは、前記救命服のカードタグに、位置情報を取得する位置情報取得手段が設けられるとともに、前記リーダ・ライタの制御部は、前記使用者の位置情報を前記カードタグから取得して、前記所定の連絡先ないし通報先に、前記個人情報とともに通知することを特徴とする。本発明の前記及び他の目的，特徴，利点は、以下の詳細な説明及び添付図面から明瞭になろう。
【発明の効果】
【００１４】
本発明によれば、(1)バッグの肩ベルトに沿って第１の浮き袋を設けるとともに、背当クッションに沿って第２の浮き袋を設ける，あるいは、(2)少なくとも救命服，ビート板，寝袋が取り出し可能に収納される複数の収納部を備えたバッグ本体の背面側に、バッグ本体に対してロープで接続されたフロートを設けたこととした。このため、十分な浮力を確保することができ、津波等に巻き込まれても、良好に浮力を維持することができる。また、寝袋を備えており、避難の際にも好都合である。更に、前記救命服に、使用者の個人情報を記録したＩＣチップを有するカードタグを設け、リーダ・ライタと無線通信して、必要に応じてリーダ・ライタから所定の連絡先又は通報先に使用者の個人情報や位置情報を通知することとしたので、迅速な救助や支援を行うことができる。
【図面の簡単な説明】
【００１５】
【図１】本発明の実施例１を示す図である。
【図２】本発明の実施例２を示す図である。
【図３】本発明の実施例３を示す図である。
【図４】本発明の実施例４を示す図である。
【図５】本発明の実施例５を示す図である。
【図６】本発明の実施例５を示す図である。
【図７】本発明の実施例６を示す図である。
【図８】本発明の他の実施例を示す図である。
【図９】前記実施例５の救命バッグの実物を水中で使用した状態を示す画像である。
【図１０】前記実施例５の救命バッグの実物を水中で使用した状態を示す画像である。
【発明を実施するための形態】
【００１６】
以下、本発明を実施するための最良の形態を、実施例に基づいて詳細に説明する。
【実施例１】
【００１７】
最初に、図１を参照しながら本発明の実施例１を説明する。図１(A)は本発明の実施例１の避難時の様子を示す図、(B)及び(C)は浮力確保時の様子を示す図、(D)は水面における様子を示す図である。これらの図において、救命バッグ１０は、収納バッグ１１と、その背面側の肩ベルト１２と、背当クッション１４を備えている。これらの構成は、一般的なリュックサックやデイバッグなどと同様である。【００１８】
本実施例では、前記肩ベルト１２が首の後ろ側にも形成されており、全体が馬蹄型の形状となっている。そして、この肩ベルト１２内には、浮き袋２０が折り畳まれて収納されている。すなわち、肩ベルト１２のファスナー２２を開くことで、浮き袋２０を引き出すことができる。浮き袋２０は、肩ベルト１２に沿った形状となっているのみならず、人間の頭部も覆うフード部２０Ａも備えている。肩ベルト１２の下部には、浮き袋２０を膨らませるための気体，例えば炭酸ガスを充填したガスカートリッジ２４が設けられている。ガスカートリッジ２４は、レバー２６を引くことで、炭酸ガスを放出するようになっている。【００１９】
上述した背当クッション１４の周囲にも、同様に浮き袋３０が折り畳まれて収納されている。すなわち、背当クッション１４のファスナー３２を開くことで、浮き袋３０を引き出すことができる。この浮き袋３０にも、前記ガスカートリッジ２４から気体が導入されて膨らむようになっている。加えて、上述した収納バッグ１１の側面には、左右一組のマリンシューズないしマリンブーツ４１が左右のメッシュポケット４２にそれぞれ格納されている。また、適宜箇所に反射シール４０が設けられており、光を反射するようになっている。更に、収納バッグ１１，背当クッション１４内には、必要に応じて浮力材（図示せず）が内装されている。【００２０】
次に、本実施例の作用を説明する。着用時、使用者は、図１(A)に示すように、通常のリュックサックと同様に、肩ベルト１２に両腕を通し、肩ベルト１２が両肩上に位置するようにして、収納バッグ１１を背負う。このとき、浮き袋２０，３０は、いずれも収納されたままである。【００２１】
次に、津波等の襲来があったときは、ファスナー２２，３２を開くとともに、レバー２６を引く。すると、ガスカートリッジ２４内の炭酸ガスが、浮き袋２０，３０内に供給され、浮き袋２０，３０が膨らむ（図１(B)，(C)参照）。更に、使用者は、ポケット４２からマリンブーツ４１を取り出し、足に装着する。このようにすることで、津波等に巻き込まれても、浮き袋２０，３０によって浮力を確保することができる（図１(D)参照）。また、足がマリンブーツ４１によって保護されているため、がれき等の上を歩くこともできる。
【実施例２】
【００２２】
次に、図２を参照しながら、本発明の実施例２について説明する。この実施例の救命バッグ１００は、上述した実施例１の救命バッグ１０に加えて、背当クッション１４内に、左右一対の腕プロテクタ１１０，胴プロテクタ１２０，足プロテクタ１３０をそれぞれファスナーを開くことで引き出すことができるようにしたものである。腕プロテクタ１１０の長手方向の両端には、面ファスナー１１２，１１４が表裏に設けられており、これによって腕プロテクタ１１０が腕全体を包み込むことができるようになっている。足プロテクタ１３０も同様であり、面ファスナー１３２，１３４によって、足プロテクタ１３０が足全体を包み込むことができるようになっている。胴プロテクタ１２０は、その先端の表裏に面ファスナー１２２，１２４がそれぞれ設けられており、使用者の胴部全体を包み込むことができるようになっている。【００２３】
また、足プロテクタ１３０の背当クッション１４近傍位置には、固定ベルト１３６がそれぞれ設けられており、この固定ベルト１３６を、使用者の股下から通し、足の付け根に沿って回して、背当クッション１４にワンタッチ式固定具１３８によって固定することで、背当クッション１４が使用者の背中に密着するようになっている。各プロテクタ１１０，１２０，１３０の素材としては、強靭なもの，例えば防弾チョッキなどで使用されているアラミド繊維が好適である。【００２４】
本実施例の救命バッグ１００を背負った状態で、津波等に巻き込まれる恐れがあるときは、まず、背当クッション１４のファスナーを開いて、腕プロテクタ１１０，胴プロテクタ１２０，足プロテクタ１３０を引き出し、それぞれ腕，胴，足に巻きつけて、面ファスナー１１２，１１４，１２２，１２４，１３２，１３４により、それぞれ固定する。また、足プロテクタ１３０と同時に背当クッション１４から引き出された固定ベルト１３６を足の付け根に回し、固定具１３８に結合する。その後、上述した実施例１のようにして、浮き袋２０，３０を膨らませる。【００２５】
図２(B)には、水中における様子が示されている。がれきなどが当たっても、各プロテクタ１１０，１２０，１３０によって身体が保護され、生存の可能性が高まるようになる。
【実施例３】
【００２６】
次に、図３を参照しながら、本発明の実施例３について説明する。本実施例の救命バッグは、上述した救命バッグ１０もしくは１００に寝袋の機能を追加したものである。図３(A)に示すように、本実施例では、収納バッグ１１内に、一対の寝袋シート２１０が収納されており、収納バッグ１１の左右の側面にそれぞれ形成されたファスナー２１２を開けて引き出すようになっている。寝袋シート２１０の周縁には、頭部ファスナー２１４，下部ファスナー２１６，上部ファスナー２１８がそれぞれ形成されており、下部ファスナー２１６は、上部ファスナー２１８に連続している。【００２７】
使用時は、背当クッション１４を中心に、使用者の頭部後ろから頭上を越えて顔に向かうように、頭部ファスナー２１４を閉めるとともに、背当クッション１４の下から使用者の足元方向に下部ファスナー２１６を閉め、今度は、足元から顔の方向に上部ファスナー２１８を閉める。このようにすることで、図３(B)に示すように、左右の寝袋シート２１０が使用者の左右をそれぞれ覆うようになる。
【実施例４】
【００２８】
次に、図４を参照しながら、本発明の実施例４について説明する。本実施例の救命バッグ３００は、図４(A)に示すように、上述した救命バッグ１０（もしくは１００又は２００）における収納バッグ１１の背面側に、リング状のフロート３１０を設けたものである。フロート３１０は、収納バッグ１１に対してロープ３１２によって繋がれており、面ファスナー３１４によって着脱自在に取り付けられている。なお、ロープ３１２は、折り畳まれた状態で、面ファスナー３１４で止められている。【００２９】
このフロート３１０は、使用者が引っ張ることで、面ファスナー３１４が外れて、解放される。解放されたフロート３１０は、他の者が水上で浮力を確保するために使用してもよいし、ヘリコプタ３２０のホイストフック３２２で引っ掛けるようにすれば、救助にも利用することができる。
【実施例５】
【００３０】
次に、図５及び図６を参照しながら本発明の実施例５を説明する。図５(A)は本実施例の救命バッグ４００をバッグの背面側から見た斜視図，図５(B)は前記救命バッグの装着部を正面側から見た斜視図である。図６(A)〜(C)は、本実施例の救命バッグの使用例である。図５(A)及び(B)に示すように、本実施例の救命バッグ４００は、バッグ本体４０２と、使用者の上半身に装着するベスト型の装着部５００と、使用者の両足を通して固定するストッパー５２０により構成されている。【００３１】
前記バッグ本体４０２は、複数（図示の例では４つ）の収納部４０４〜４１０が、使用者の背中に対して層状に形成されている。使用者の背中に当たる収納部４０４は、表面（使用者の背中に当たる面）に開閉用のファスナー４１２を有しており、内部には、図６(A)に示す救命服４２０が収納されている。他の収納部４０６，４０８，４１０は、それぞれ、側面から上面にかけて設けられたファスナー４１４，４１６，４１８により開閉可能となっており、収納部４０６には、浮力材を兼ねたビート板４５０が収納されている。ビート板４５０は、例えば、ポリエチレンやポリプロピレン，スチロール等を発泡させたもので形成されている。なお、前記ビート板４５０のほか、他の部分で使用される浮力材についても、同様の素材が用いられる。また、収納部４０８には、寝袋４６０が収納されている。上述した実施例３に示した寝袋は救命バッグと分離できない構造のものであるが、本実施例の寝袋４６０はバッグ本体４０２から取り出し可能である。更に、収納部４１０には、小物４７０などが収納されている。【００３２】
前記収納部４１０の表面には、ロープ４８２によりバッグ本体４０２に連結されたフロート４８０が設けられている。該フロート４８０は、裏面に設けられた面ファスナー４８４と、収納部４１０側に設けられた面ファスナー４８６により、収納部４１０の表面に対して着脱可能となっている。以上の複数の収納部４０４〜４１０の側面部下方には、面ファスナー４９０Ａ〜４９０Ｃが設けられており、前記収納部４１０に一端側が固定されたベルト４９２の裏面の面ファスナー４９２Ａと着脱可能に結合する。このベルト４９２によって全体が固定され、安定感が増す。また、前記収納部４１０の表面の適宜位置には、図５(A)に示すように反射材４９４が設けられており、探照灯で照らすと反射し、発見されやすくなっている。【００３３】
次に、前記装着部５００は、本実施例では、図５(B)に示すようにベスト型となっており、正面に設けたファスナー５０２により開閉可能になっている。肩ベルト５０４の部分には、前記反射材４９４と同様の反射材５０６が設けられている。また、胸部には浮力材５０８が設けられ、胴部には浮力材５１０が設けられている。これら浮力材５０８，５１０の表面には、反射板５１４が設けられている。なお、本実施例では、図５(B)に示すように、胴部の浮力材５１０の周囲にファスナー５１２が設けられ、ポケットとして利用することも可能となっている。一方、前記ストッパー５２０は、前記バッグ本体４０２の底面に設けられており、本実施例では、４本のバンド５２２〜５２８の先端をまとめて結合した構造となっている。図５(B)に示す状態では、使用者は右脚をバンド５２２と５２４の間に通し、左脚をバンド５２６とバンド５２８の間に通すようになっている（ストッパー５２０による固定状態は図７参照）。【００３４】
次に、前記救命バッグ４００に収納ないし装備された各部の構造と使用例について説明する。まず、収納部４０４に収納されている救命服４２０は、図６(A)に示すように、上着４２１とズボン４３８に分かれた構造となっている。上着４２１の背中側には面ファスナー４２２が横に３本設けられている。該面ファスナー４２２は、前記収納部４０４の表面に設けられた面ファスナー４２４と脱着可能に結合する。前記上着４２１の肩部分，袖口，裾には反射材４２６が設けられ、ズボン４３８の裾部分にも反射材４２６が設けられている。また、前記上着４２１には、浮力材を利用したベルト４２８が付属しており、その中央には反射板４３０が設けられている。前記ベルト４２８は、図示しない面ファスナーによって胴囲の調節が可能となっている。また、前記上着４２１の袖口や、ズボン４３８の裾には、ゴムが設けられている。【００３５】
更に、上着４２１の両肘部分と、ズボン４３８の両膝部分には、必要に応じてサポータ４３２が設けられる。サポータ４３２は、全体が浮力材で形成されており、表面には反射材４３４が設けられ、更にその中央に強度があるプロテクタ４３６が設けられている。このような救命服４２０は、耐火性，強力性、浮力性，運動性，救命性を考慮した生地を用いて製作されている。また、本実施例の救命服４２０の上着４２１の適宜位置には、使用者の個人情報等を記録したＩＣチップを搭載した無線通信可能なカードタグ４４０が設けられている。該カードタグ４４０の表面には、使用者の顔写真や、住所・連絡先・血液型・既往症・・・などが記載されている。なお、カードタグ４４０の利用例については、後述の実施例６で説明する。災害が起こったときは、救命バッグ４００から救命服４２０を取り出して装着した上で、前記救命バッグ４００を背負うようにする。あるいは、一旦、救命バッグ４００を持って避難し、機会を見て救命服４２０を着るようにする。救命服４２０の背中側の面ファスナー４２２と、収納部４０４側の面ファスナー４２４を結合させると、バッグの揺れを抑えて安定させることができる。【００３６】
次に、収納部４０６に収納されているビート板４５０は、図６(A)に示すように、バッグ本体４０２から取り出し可能となっており、表面には、図６(B)に示すように反射板４５２が設けられている。前記ビート板４５０は、バッグ本体４０２に収納された状態では浮力材として作用し、救命バッグ４００を背負ったまま津波等に巻き込まれても、浮力を確保することができる。また、図６(B)に示すように、救命バッグ４００から取り出して使用してもよい。【００３７】
収納部４０８に収納されている寝袋４６０は、図６(A)に示すように、救命バッグ４００から取り出し可能となっている。該寝袋４６０は、救命バッグ４００に収納されている状態では浮力材として作用する。また、救命バッグ４００から取り出して使用する際には、図６(C)に示すように、前記ファスナー４１６を完全に開いた状態の救命バッグ４００を枕として利用することができる。なお、上述した実施例３で示した寝袋２００と異なり、本実施例では、救命バック４００と寝袋４６０が完全に分離可能であるので、救命バッグ４００を枕として使用する場合の位置調節も容易である。なお、本実施例の寝袋は、図６(C)に示すように、ファスナー４６２によって開閉可能であるが、該ファスナー４６２としては、内側からも開閉可能なものを用いると使い勝手がよい。また、図示の例では、寝袋４６０の表面に反射材４６４によって、「ＳＯＳ」の文字が表されており、使用者が仮眠中であっても、発見されやすくなっている。【００３８】
前記収納部４１０に収納される小物４７０としては、保存食や衛生用品など、任意のものでよい。また、前記収納部４１０に着脱可能に設けられているフロート４８０は、収納部４１０に取り付けられた状態では救命バッグ４００の浮力の保持に作用する。救命バッグ４００から取り外したときの使用例については、前記実施例４の場合と同様（図４(B)参照）である。このように、本実施例によれば、救命バッグ４００に収納ないし装備されたビート板４５０，寝袋４６０，フロート４８０により十分な浮力を確保し、更に、救命服４２０を装着することにより身体が保護され、災害等に遭遇したときにも、生存確率が高くなる。【００３９】
図９及び図１０には、本実施例の救命バッグの実物を水中で使用した状態の画像が示されており、十分な浮力が確保されていることを示している。特に、図１０(B)は救命バッグ４００からフロート４８０を外して使用している例であるが、フロート４８０を外した状態で合っても、救命バッグ４００の本体側の浮力が十分であることが確認された。
【実施例６】
【００４０】
次に、図７を参照しながら、本発明の実施例６について説明する。本実施例は、前記実施例５の救命バッグ４００を利用した救命システムに関するものである。本実施例の救命システム６００は、救命バッグ４００に含まれる救命服のカードタグ４４０と、リーダ・ライタ６１０と、各種の通報先６２０により構成されている。図７に示す例では、救命服４２０Ａは身体の正面側に着脱用のファスナーが設けられたつなぎ服となっており、胸部に前記実施例５と同様のカードタグ４４０が設けられている。前記カードタグ４４０は、電波を利用して人や物を認識する非接触型の自動認識技術（ＲＦＩＤ）を利用したもので、使用者の個人情報４４４等を記憶したＩＣチップ４４２と、無線通信を行うためのアンテナ４４６を含んでいる。また、本実施例では、使用者の位置を特定するための位置情報取得手段として、ＧＰＳ４４８が設けられている。【００４１】
前記個人情報４４４は、前記カードタグ４４０の表面に記載された事項，すなわち、使用者の顔写真や連絡先等が記録されている。例えば、使用者の氏名，住所・本人連絡先，家族連絡先，病歴，服用中薬品情報，血液型，健康保険番号・・・等が記録されている。このほか、必要な事項を記録してもよい。前記アンテナ４４６としては、例えば、長距離通信可能なＵＨＦ帯アンテナが用いられる。前記アンテナ４４６を介して、ＩＣチップ４４２の個人情報４４４が、リーダ・ライタ６１０で読取可能となっている。また、本実施例では、ＧＰＳ４４８により取得した位置情報も、前記個人情報４４４と併せてリーダ・ライタ６１０によって読取可能となっている。【００４２】
前記リーダ・ライタ６１０は、前記カードタグ４４０と同帯域で無線通信可能なアンテナ６１２と、前記個人情報４４４の読取・書込や、位置情報の取得等を行うコントローラ６１４により構成されている。前記コントローラ６１４は、前記アンテナ６１２により、カードタグ４４０の存在を検知すると、そのＩＣチップ４４２に記録された個人情報４４４や位置情報を読み取り、必要に応じて、医療機関６２２や、家族６２４，救助者６２６などの所定の通報先６２０に使用者の所在を知らせる。例えば、医療機関６２２に予めカードタグ４４０から読み取った情報を通知しておけば、迅速かつ的確な処理を施すことが可能となる。例えば、既往症や投薬禁忌の情報を本人が喋れない状況でも医療機関６２２等に示すことができる。また、家族６２４や救助者６２６に個人情報や位置情報を通知することにより、速やかに救助に駆け付け、適切な応急処置を施す等の対応が可能となる。なお、前記カードタグ４４０は、搬送先の医療機関６２２で改めて提示するようにしてもよい。例えば、使用者が倒壊した家屋やがれき等に挟まれており、捜索者の視界に入らない場合であっても、リーダ・ライタ６１０によりカードタグ４４０を検知することにより、使用者の存在を知ることができ、探索に好適である。また、リーダ・ライタ６１０と通信可能なサーバを利用することにより、取得した個人情報４４４をもとにして、被災者の安否情報の検索に活用するようにしてもよい。これにより、行方不明者を減らし、例え最悪の状況になっても、身元の判明が容易となる。【００４３】
このように、本実施例によれば、救命服に設けられた無線通信可能なカードタグ４４０によって、使用者の個人情報や位置情報をリーダ・ライタ６１０で読み取り、必要であれば、所定の通報先６２０に通知することとしたので、迅速な救援や必要な処置等が可能となる。これにより、生存の可能性が向上する。【００４４】
なお、本発明は、上述した実施例に限定されるものではなく、本発明の要旨を逸脱しない範囲内において種々変更を加え得ることができる。例えば、以下のものも含まれる。
(1)前記実施例１は、ファスナーを開いて浮き袋を引き出し、更に膨らませるようにしたが、面ファスナーを使用するようにして、浮き袋を膨らませたときに、自動的にファスナー部分が外れるようにすれば、使い勝手が向上する。
(2)前記実施例１では、ガスカートリッジから浮き袋２０，３０にガスを供給して膨らませることとしたが、膨らみが不足しているときのための吸気口を設け、これによって使用者が浮き袋２０，３０内に空気を入れることができるようにしてもよい。【００４５】
(3)前記実施例１では、腕プロテクタ１１０，胴プロテクタ１２０，足プロテクタ１３０のように、プロテクタが体の主要部を個別に覆う構成としたが、これも一例であり、つなぎ服のように全体を覆い保護する構成としてもよい。その際、通常の生地よりも強度があり、火や熱，水にも強い生地を用いたプロテクタ服とすれば、津波で引きずられても、もぎ取られることがない。また、ウェットスーツのように防水仕様で保温性が高い生地であれば、災害にあっても、低体温を防ぎ、体力の消耗を防止することができる。更に、十分な浮力があるため、赤ちゃん等をお腹に抱え込んで避難することも可能である。【００４６】
(4)前記実施例５で示した救命バッグ４００は一例であり、同様の効果を奏するように適宜設計変更してよい。例えば、図５に示す救命バッグ４００では、４本のバンド５２２〜５２８の先端を閉じて足を通す構成としたが、これも一例であり、例えば、図８(A)に示す例のように、臀部側のベルト５２４，５２６の代わりに、逆三角形の生地を後部ホルダ５３０として使用することで、臀部を覆い、長時間装着しても痛み等を感じにくく、装着性を高めることが可能である。
(5)前記実施例５で示した救命服４２０も一例であり、つなぎ服のように上下一体の構成のものであってもよい。また、図８(B)に示すように、例えば、救命服４２０の両脇から足元にかけてヒレ４３９を設け、浮きやすくするようにしてもよい。このようなヒレや浮力材を、他の部位に設けることを妨げない。【００４７】
(6)前記実施例６に示した個人情報は一例であり、必要に応じて適宜変更してよい。カードタグ４４０とリーダ・ライタ６１０の通信方式も一例であり、必要に応じて適宜変更してよい。
(7)前記実施例に示した形状や収納は一例であり、必要に応じて適宜変更してよい。また、前記実施例の組み合わせも、適宜変更してよい。更に、前記浮き袋２０のフード部２０Ａに、折りたたみ式のヘルメットを設けるようにしてもよい。加えて、他のセイフティ用具，例えば、海面着色剤，発煙筒，フロート，笛，ミラー，点滅発光器などを適宜付加してよい。【００４８】
(8)前記実施例では、救助される側の人間が、救命バッグを使用することとしたが、例えば実施例５に示した救命服は耐火性や耐水性にも優れているので、救助する側の人間が使用してもよい。救命バッグそのものについても同様である。また、実施例６のシステムについても、危険な救助活動を行う作業者の安全確認のために使用してもよい。
(9)前記実施例で示した救命バッグに収納ないし装備されている救命服等を、災害時・非常時のみでなく、日常使いとしてもよい。例えば、救命バッグに収納されている寝袋を取り出し、登山やキャンプなどの時に、寝袋のみを単独で携帯して使用してもよい。ビート板，フロートなどについても同様である。
(10)前記実施例１では、津波の場合に本発明を適用することとしたが、これも一例であり、津波以外の災害（例えば、台風など）の場合にも、本発明の救命バッグは適用可能である。他の実施例についても同様である。
【産業上の利用可能性】
【００４９】
本発明によれば、(1)バッグの肩ベルトに沿って第１の浮き袋を設けるとともに、背当クッションに沿って第２の浮き袋を設ける，あるいは、(2)少なくとも救命服，ビート板，寝袋が取り出し可能に収納される複数の収納部を備えたバッグ本体の背面側に、バッグ本体に対してロープで接続されたフロートを設けることとしたので、十分な浮力を確保することができ、津波等の災害用の救命用具として好適である。前記救命服に無線通信可能なカードタグを設けて、リーダ・ライタで使用者の個人情報や位置情報等を取得することで、迅速な救助を行うためのシステムとしても適用できる。
【符号の説明】
【００５０】
１０：救命バッグ
１１：収納バッグ
１２：肩ベルト
１４：背当クッション
２０：浮き袋
２０Ａ：フード部
２２：ファスナー
２４：ガスカートリッジ
２６：レバー
３０：浮き袋
３２：ファスナー
４０：反射シール
４１：マリンブーツ
４２：メッシュポケット
１００：救命バッグ
１１０：腕プロテクタ
１１２，１１４，１２２，１２４，１３２，１３４：面ファスナー
１２０：胴プロテクタ
１３０：足プロテクタ
１３６：固定ベルト
１３８：ワンタッチ式固定具
２１０：寝袋シート
２１２：ファスナー
２１４：頭部ファスナー
２１６：下部ファスナー
２１８：上部ファスナー
２５４：ガスカートリッジ
３００：救命バッグ
３１０：フロート
３１２：ロープ
３１４：面ファスナー
３２０：ヘリコプタ
３２２：ホイストフック
４００：救命バッグ
４０２：バッグ本体
４０４〜４１０：収納部
４１２〜４１８：ファスナー
４２０，４２０Ａ：救命服
４２１：上着
４２２，４２４：面ファスナー
４２６：反射材
４２８：ベルト
４３０：反射板
４３２：サポータ
４３４：反射材
４３６：プロテクタ
４３８：ズボン
４３９：ヒレ
４４０：カードタグ
４４２：ＩＣチップ
４４４：個人情報
４４６：アンテナ
４４８：ＧＰＳ
４５０：ビート板
４５２：反射板
４６０：寝袋
４６２：ファスナー
４６４：反射材
４７０：小物
４８０：フロート（浮輪）
４８２：ロープ
４８４，４８６，４９０Ａ〜４９０Ｃ，４９２Ａ：面ファスナー
４９２：ベルト
４９４：反射材
５００：装着部
５０２：ファスナー
５０４：肩ベルト
５０６：反射材
５０８，５１０：浮力材
５１２：ファスナー
５１４：反射板
５２０：ストッパー
５２２〜５２８：バンド
５３０：後部ホルダ
６００：救命システム
６１０：リーダ・ライタ
６１２：アンテナ
６１４：コントローラ
６２０：通報先
６２２：医療機関
６２４：家族
６２６：救助者
【図１】
0006001636.tif 000002
【図２】
0006001636.tif 000003
【図３】
0006001636.tif 000004
【図４】
0006001636.tif 000005
【図５】
0006001636.tif 000006
【図６】
0006001636.tif 000007
【図７】
0006001636.tif 000008
【図８】
0006001636.tif 000009
【図９】
0006001636.tif 000010
【図１０】
0006001636.tif 000011